【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
入力された音声データを送信する送信装置であって、
前記音声データを符号化し、符号化音声データを出力する符号化手段と、
前記符号化音声データを送信する送信手段と、
前記符号化手段による符号化に関するパラメータ、および前記送信手段による送信に関するパラメータを、前記符号化音声データを受信する受信側を特定する特定情報に対応させて記憶するパラメータ記憶手段と、
前記特定情報に基づいて、前記パラメータ記憶手段により記憶されている前記符号化手段による符号化に関するパラメータ、および前記送信手段による送信に関するパラメータを選択し、設定するパラメータ設定手段と
を備えることを特徴とする送信装置。
【請求項２】
前記符号化に関するパラメータは、符号化方式および前記符号化に用いられるコードブックを含む
ことを特徴とする請求項１に記載の送信装置。
【請求項３】
前記送信に関するパラメータは、変調方式および前記送信におけるデータの単位時間あたりの送信データ量を含む
ことを特徴とする請求項１に記載の送信装置。
【請求項４】
前記パラメータ記憶手段は、１つの前記特定情報に対して、互いに異なる優先度が付加された複数の前記符号化に関するパラメータおよび前記送信に関するパラメータの組み合わせを記憶する
ことを特徴とする請求項１に記載の送信装置。
【請求項５】
前記符号化に関するパラメータおよび前記送信に関するパラメータの初期値を記憶する初期値記憶手段をさらに備え、
前記設定手段は、前記特定情報に対応付けられた前記符号化に関するパラメータおよび前記送信に関するパラメータが存在しない場合、前記初期値記憶手段に記憶された前記初期値を設定する
ことを特徴とする請求項１に記載の送信装置。
【請求項６】
前記初期値記憶手段は、前記受信側の状態に関する情報に対応付けて前記初期値を記憶する
ことを特徴とする請求項５に記載の送信装置。
【請求項７】
前記受信側において出力される音声の品質を向上させる高品質化データの学習を、過去の学習に用いられた音声データと、新たに入力された音声データに基づいて行う学習手段をさらに備え、
前記送信手段は、前記符号化音声データとともに、前記高品質化データを送信する
ことを特徴とする請求項１に記載の送信装置。
【請求項８】
前記学習手段は、前記符号化音声データを復号した復号音声データを高品質化した高品質音声データの予測値を求める予測演算を行うのに、前記復号音声データとともに用いるタップ係数を、前記高品質化データとして求める学習を行う
ことを特徴とする請求項７に記載の送信装置。
【請求項９】
入力された音声データを送信する送信装置の送信方法であって、
前記音声データを符号化し、符号化音声データを出力する符号化ステップと、
前記符号化音声データの送信を制御する送信制御ステップと、
前記符号化ステップの処理による符号化に関するパラメータ、および前記送信制御ステップの処理により制御された送信に関するパラメータを前記符号化音声データの、受信する受信側を特定する特定情報に対応させた記憶を制御するパラメータ記憶制御ステップと、
前記特定情報に基づいて、前記パラメータ記憶制御ステップの処理により記憶が制御されている前記符号化ステップの処理による符号化に関するパラメータ、および前記送信制御ステップの処理により制御された送信に関するパラメータを選択し、設定するパラメータ設定ステップと
を含むことを特徴とする送信方法。
【請求項１０】
入力された音声データを送信する送信装置用のプログラムであって、
前記音声データを符号化し、符号化音声データを出力する符号化ステップと、
前記符号化音声データの送信を制御する送信制御ステップと、
前記符号化ステップの処理による符号化に関するパラメータ、および前記送信制御ステップの処理により制御された送信に関するパラメータを前記符号化音声データの、受信する受信側を特定する特定情報に対応させた記憶を制御するパラメータ記憶制御ステップと、
前記特定情報に基づいて、前記パラメータ記憶制御ステップの処理により記憶が制御されている前記符号化ステップの処理による符号化に関するパラメータ、および前記送信制御ステップの処理により制御された送信に関するパラメータを選択し、設定するパラメータ設定ステップと
を含むことを特徴とするコンピュータが読み取り可能なプログラムが記録されている記録媒体。
【請求項１１】
入力された音声データを送信する送信装置を制御するコンピュータが実行可能なプログラムであって、
前記音声データを符号化し、符号化音声データを出力する符号化ステップと、
前記符号化音声データの送信を制御する送信制御ステップと、
前記符号化ステップの処理による符号化に関するパラメータ、および前記送信制御ステップの処理により制御された送信に関するパラメータを前記符号化音声データの、受信する受信側を特定する特定情報に対応させた記憶を制御するパラメータ記憶制御ステップと、
前記特定情報に基づいて、前記パラメータ記憶制御ステップの処理により記憶が制御されている前記符号化ステップの処理による符号化に関するパラメータ、および前記送信制御ステップの処理により制御された送信に関するパラメータを選択し、設定するパラメータ設定ステップと
を含むことを特徴とするプログラム。
【請求項１２】
音声データを符号化した符号化音声データを受信する受信装置であって、
前記符号化音声データを受信する受信手段と、
前記受信手段において受信された符号化音声データを復号する復号手段と、
前記受信手段による受信に関するパラメータ、および前記復号手段による復号に関するパラメータを、前記符号化音声データを送信する送信側を特定する特定情報に対応させて記憶するパラメータ記憶手段と、
前記特定情報に基づいて、前記パラメータ記憶手段により記憶されている前記受信手段による受信に関するパラメータ、および前記復号手段による復号に関するパラメータを選択し、設定するパラメータ設定手段と
を備えることを特徴とする受信装置。
【請求項１３】
前記復号に関するパラメータは、前記符号化音声データを送信する送信側による符号化の符号化方式および前記符号化に用いられたコードブックを含む
ことを特徴とする請求項１２に記載の受信装置。
【請求項１４】
前記受信に関するパラメータは、前記送信側による前記符号化音声データを送信する際の変調方式に対応する復調方式を含む
ことを特徴とする請求項１２に記載の受信装置。
【請求項１５】
前記パラメータ記憶手段は、１つの前記特定情報に対して、互いに異なる優先度が付加された複数の前記受信に関するパラメータおよび前記復号に関するパラメータの組み合わせを記憶する
ことを特徴とする請求項１２に記載の受信装置。
【請求項１６】
前記受信に関するパラメータおよび前記復号に関するパラメータの初期値を記憶する初期値記憶手段をさらに備え、
前記設定手段は、前記特定情報に対応付けられた前記受信に関するパラメータおよび前記復号に関するパラメータが存在しない場合、前記初期値記憶手段に記憶された前記初期値を設定する
ことを特徴とする請求項１２に記載の受信装置。
【請求項１７】
前記初期値記憶手段は、前記受信手段により受信された信号の状態に関する情報に対応付けて前記初期値を記憶する
ことを特徴とする請求項１２に記載の受信装置。
【請求項１８】
前記受信手段により受信された信号の状態に関する情報は、前記信号に含まれるノイズ量、前記信号の信号強度、および前記信号のキャリア周波数を含む
ことを特徴とする請求項１７に記載の受信装置。
【請求項１９】
前記パラメータが最新であるか否かを判定する判定手段をさらに備え、
前記パラメータ記憶手段は、前記判定手段により、最新のパラメータであると判定されたパラメータを記憶する
ことを特徴とする請求項１２に記載の受信装置。
【請求項２０】
前記受信手段は、前記符号化音声データを復号した復号音声データの品質を向上させる高品質化データをさらに受信し、
前記パラメータ記憶手段は、前記受信手段により受信された前記高品質化データを、前記特定情報に対応させてさらに記憶する
ことを特徴とする請求項１２に記載の受信装置。
【請求項２１】
前記高品質化データは、高品質化した高品質音声データの予測値を求める予測演算を行うのに、前記復号音声データとともに用いるタップ係数を含む
ことを特徴とする請求項２０に記載の受信装置。
【請求項２２】
前記受信手段は、前記符号化音声データを受信するとともに前記高品質化データを受信し、
前記パラメータ記憶手段は、前記受信手段により受信された前記高品質化データを、前記特定情報に対応させてさらに記憶する
ことを特徴とする請求項２０に記載の受信装置。
【請求項２３】
音声データを符号化した符号化音声データを受信する受信装置の受信方法であって、
前記符号化音声データの受信を制御する受信制御ステップと、
前記受信制御ステップの処理において受信が制御された符号化音声データを復号する復号ステップと、
前記受信制御ステップの処理により制御された受信に関するパラメータ、および前記復号ステップの処理による復号に関するパラメータの、前記符号化音声データを送信する送信側を特定する特定情報に対応させた記憶を制御するパラメータ記憶制御ステップと、
前記特定情報に基づいて、前記パラメータ記憶制御ステップの処理により記憶が制御されている前記受信制御ステップの処理により制御された受信に関するパラメータ、および前記復号ステップの処理による復号に関するパラメータを選択し、設定するパラメータ設定ステップと
を含むことを特徴とする受信方法。
【請求項２４】
音声データを符号化した符号化音声データを受信する受信装置用のプログラムであって、
前記符号化音声データの受信を制御する受信制御ステップと、
前記受信制御ステップの処理において受信が制御された符号化音声データを復号する復号ステップと、
前記受信制御ステップの処理により制御された受信に関するパラメータ、および前記復号ステップの処理による復号に関するパラメータの、前記符号化音声データを送信する送信側を特定する特定情報に対応させた記憶を制御するパラメータ記憶制御ステップと、
前記特定情報に基づいて、前記パラメータ記憶制御ステップの処理により記憶が制御されている前記受信制御ステップの処理により制御された受信に関するパラメータ、および前記復号ステップの処理による復号に関するパラメータを選択し、設定するパラメータ設定ステップと
を含むことを特徴とするコンピュータが読み取り可能なプログラムが記録されている記録媒体。
【請求項２５】
音声データを符号化した符号化音声データを受信する受信装置を制御するコンピュータが実行可能なプログラムであって、
前記符号化音声データの受信を制御する受信制御ステップと、
前記受信制御ステップの処理において受信が制御された符号化音声データを復号する復号ステップと、
前記受信制御ステップの処理により制御された受信に関するパラメータ、および前記復号ステップの処理による復号に関するパラメータの、前記符号化音声データを送信する送信側を特定する特定情報に対応させた記憶を制御するパラメータ記憶制御ステップと、
前記特定情報に基づいて、前記パラメータ記憶制御ステップの処理により記憶が制御されている前記受信制御ステップの処理により制御された受信に関するパラメータ、および前記復号ステップの処理による復号に関するパラメータを選択し、設定するパラメータ設定ステップと
を含むことを特徴とするプログラム。
【請求項２６】
送信装置と受信装置とから構成される送受信装置であって、
前記送信装置は、
前記音声データを符号化し、符号化音声データを出力する符号化手段と、
前記符号化音声データを送信する送信手段と、
前記符号化手段による符号化に関するパラメータ、および前記送信手段による送信に関するパラメータを、前記符号化音声データを受信する受信側を特定する第１の特定情報に対応させて記憶する第１のパラメータ記憶手段と、
前記第１の特定情報に基づいて、前記第１のパラメータ記憶手段により記憶されている前記符号化手段による符号化に関するパラメータ、および前記送信手段による送信に関するパラメータを選択し、設定する第１のパラメータ設定手段と
を備え、
前記受信装置は、
前記符号化音声データを受信する受信手段と、
前記受信手段により受信された符号化音声データを復号する復号手段と、
前記受信手段による受信に関するパラメータ、および前記復号手段による復号に関するパラメータを、前記符号化音声データを送信する送信側を特定する第２の特定情報に対応させて記憶する第２のパラメータ記憶手段と、
前記第２の特定情報に基づいて、前記第２のパラメータ記憶手段により記憶されている前記受信手段による受信に関するパラメータ、および前記復号手段による復号に関するパラメータを選択し、設定する第２のパラメータ設定手段と
を備えることを特徴とする送受信装置。
【請求項２７】
送受信装置と通信を行う通信装置であって、
前記送受信装置より符号化音声データを復号した復号音声データの品質を向上させる高品質化データを取得する取得手段と、
前記取得手段により取得された前記高品質化データを、前記送受信装置を特定する特定情報に対応させて記憶する記憶手段と、
前記記憶手段により記憶されている前記高品質化データを、前記特定情報が特定する前記送受信装置に供給する供給手段と
を備えることを特徴とする通信装置。
【請求項２８】
前記取得手段は、前記送受信装置において行われる符号化および復号に関するパラメータ、並びに前記送受信装置による送受信に関するパラメータをさらに取得し、
前記記憶手段は、前記取得手段により取得された前記符号化および復号に関するパラメータ、並びに前記送受信に関するパラメータを、前記送受信装置を特定する特定情報に対応させてさらに記憶し、
前記供給手段は、前記記憶手段により記憶されている前記符号化および復号に関するパラメータ、並びに前記送受信に関するパラメータをさらに供給する
ことを特徴とする請求項２７に記載の通信装置。
【請求項２９】
前記記憶手段は、前記高品質化データ、前記符号化および復号に関するパラメータ、並びに前記送受信に関するパラメータの初期値を、前記送受信装置に関する情報に対応させてさらに記憶し、
前記供給手段は、前記特定情報に対応付けられた前記高品質化データ、前記符号化および復号に関するパラメータ、並びに前記送受信に関するパラメータが存在しない場合、前記記憶手段に記憶された前記初期値を前記送受信装置に供給する
ことを特徴とする請求項２７に記載の通信装置。
【請求項３０】
送受信装置と通信を行う通信装置の通信方法であって、
前記送受信装置から供給された符号化音声データを復号した復号音声データの品質を向上させる高品質化データの取得を制御する取得制御ステップと、
前記取得制御ステップの処理により取得が制御された前記高品質化データの、前記送受信装置を特定する特定情報に対応させた記憶を制御する記憶制御ステップと、
前記記憶制御ステップの処理により記憶が制御されている前記高品質化データの、前記特定情報が特定する前記送受信装置への供給を制御する供給制御ステップと
を含むことを特徴とする通信方法。
【請求項３１】
送受信装置と通信を行う通信装置用のプログラムであって、
前記送受信装置から供給された符号化音声データを復号した復号音声データの品質を向上させる高品質化データの取得を制御する取得制御ステップと、
前記取得制御ステップの処理により取得が制御された前記高品質化データの、前記送受信装置を特定する特定情報に対応させた記憶を制御する記憶制御ステップと、
前記記憶制御ステップの処理により記憶が制御されている前記高品質化データの、前記特定情報が特定する前記送受信装置への供給を制御する供給制御ステップと
を含むことを特徴とするコンピュータが読み取り可能なプログラムが記録されている記録媒体。
【請求項３２】
送受信装置と通信を行う通信装置を制御するコンピュータが実行可能なプログラムであって、
前記送受信装置から供給された符号化音声データを復号した復号音声データの品質を向上させる高品質化データの取得を制御する取得制御ステップと、
前記取得制御ステップの処理により取得が制御された前記高品質化データの、前記送受信装置を特定する特定情報に対応させた記憶を制御する記憶制御ステップと、
前記記憶制御ステップの処理により記憶が制御されている前記高品質化データの、前記特定情報が特定する前記送受信装置への供給を制御する供給制御ステップと
を含むことを特徴とするプログラム。
【請求項３３】
送受信装置と通信を行う通信装置であって、
前記送受信装置より符号化音声データの送受信に関する特徴量を取得する取得手段と、
前記取得手段により取得された前記特徴量に基づいて、前記符号化音声データを復号した復号音声データの品質を向上させる高品質化データを算出する算出手段と、
前記算出手段により算出された前記高品質化データを、前記特徴量を取得した前記送受信装置に供給する供給手段と
を備えることを特徴とする通信装置。
【請求項３４】
前記算出手段により算出された前記高品質化データを、前記送受信装置を特定する特定情報に対応させて記憶する記憶手段をさらに備え、
前記供給手段は、前記記憶手段により記憶された前記高品質化データを、前記特徴量を取得した前記送受信装置に供給する
ことを特徴とする請求項３３に記載の通信装置。
【請求項３５】
送受信装置と通信を行う通信装置の通信方法であって、
前記送受信装置より供給された符号化音声データの送受信に関する特徴量の取得を制御する取得制御ステップと、
前記取得制御ステップの処理により取得が制御された前記特徴量に基づいて、前記符号化音声データを復号した復号音声データの品質を向上させる高品質化データを算出する算出ステップと、
前記算出ステップの処理により算出された前記高品質化データの、前記特徴量を取得した前記送受信装置への供給を制御する供給制御ステップと
を含むことを特徴とする通信方法。
【請求項３６】
送受信装置と通信を行う通信装置用のプログラムであって、
前記送受信装置より供給された符号化音声データの送受信に関する特徴量の取得を制御する取得制御ステップと、
前記取得制御ステップの処理により取得が制御された前記特徴量に基づいて、前記符号化音声データを復号した復号音声データの品質を向上させる高品質化データを算出する算出ステップと、
前記算出ステップの処理により算出された前記高品質化データの、前記特徴量を取得した前記送受信装置への供給を制御する供給制御ステップと
を含むことを特徴とするコンピュータが読み取り可能なプログラムが記録されている記録媒体。
【請求項３７】
送受信装置と通信を行う通信装置を制御するコンピュータが実行可能なプログラムであって、
前記送受信装置より供給された符号化音声データの送受信に関する特徴量の取得を制御する取得制御ステップと、
前記取得制御ステップの処理により取得が制御された前記特徴量に基づいて、前記符号化音声データを復号した復号音声データの品質を向上させる高品質化データを算出する算出ステップと、
前記算出ステップの処理により算出された前記高品質化データの、前記特徴量を取得した前記送受信装置への供給を制御する供給制御ステップと
を含むことを特徴とするプログラム。